(57)【要約】【課題】複数の可視角度にＬＣＤを設置可能な電子機器を提供することである。【解決手段】電子機器は、ディスプレイ１１０と、第１本体１３０および第２本体１４０によって形成されている本体ケース１２０と、を備えている。この電子機器は、ヒンジ１５０と、シャフト３１０と、を備える。このヒンジは、前記第１本体および前記第２本体に回転可能に結合されている。このシャフトは、前記本体ケースに結合される第１端部５１０と、ディスプレイハウジングに結合されている第２端部５４０とを有する。このシャフトは、前記ヒンジによってディスプレイおよび第２本体の垂直方向の回転を可能にするよう前記ディスプレイを水平方向に回転および変位させるように適合されている。【選択図】      図１２
2005149467.tif 000002
【特許請求の範囲】
【請求項１】
第１本体と、この第１本体に回動可能に結合される第２本体とを有する本体と、
前記本体の上に設けられており、前記第1本体に対する前記第２本体の回動を規制する第１位置と前記第１本体に対する前記第２本体の回動を可能にする第２位置とに配置されるディスプレイと、
前記ディスプレイを前記第１位置と前記第２位置との間で移動可能に本体と前記ディスプレイとを結合する結合部材と、
を備えたことを特徴とする電子機器。
【請求項２】
第1本体と、この第1本体に回動可能に結合される第２本体とを有する本体と、
結合部材と、
前記結合部材を介して前記本体に結合され、前記第1本体および前記第２本体に重なる第１位置と、前記第1本体を露出して前記第1本体に重なるとともに前記第1本体と前記第２本体との回動を許容する第２位置との間で移動可能に設けられるディスプレイと、
を具備することを特徴とする電子機器。
【請求項３】
前記第１部分には、前記ディスプレイが第1位置にあるとき前記ディスプレイに覆われ、前記ディスプレイが前記第２位置にあるとき露出されるキーボードが設けられることを特徴とする請求項１または２記載の電子機器。
【請求項４】
キーボードを有する第1部分と、この第1部分に回動可能に結合される第２部分とを有する本体と、
前記第２本体に結合される結合部材と、
この結合部材を介して前記本体に結合され、前記結合部材により、前記第１本体および前記第２本体に重なることで前記第１本体と前記第２本体との回動を規制する第１位置と、前記キーボードを露出しタ状態で前記第２本体に重なることで前記第１本体に対する前記第２本体の回動を許容する第２位置との間で移動可能なディスプレイと、
を具備することを特徴とする電子機器。
【請求項５】
前記結合部材はシャフトを有し、前記本体の前記第２部分は前記シャフトがスライド可能に挿入されるガイド部を有していることを特徴とする請求項１，２または４のいずれか1項に記載の電子機器。
【請求項６】
キーボードを有する第1部分と、この第1部分に回動可能に結合されるとともにガイド部を有する第２部分とを有する本体と、
前記ガイド部を介して前記前記第２本体にスライドおよび回転可能に結合される結合部材と、
この結合部材に結合され、前記第１本体および前記第２本体に重なることで前記第１本体と前記第２本体との回動を規制する第１位置と、前記キーボードを露出した状態で前記第２本体に重なることで前記第１本体に対する前記第２本体の回動を許容する第２位置との間で移動可能なディスプレイと、
を具備することを特徴とする電子機器。
【請求項７】
キーボードを有する第1部分と、この第1部分にヒンジを介して回動可能に結合されるとともにガイド部を有する第２部分とを有する本体と、
前記ガイド部を介して前記前記第２本体にスライドおよび回転可能に結合される結合部材と、
この結合部材に結合され、前記第１本体および前記第２本体に重なることで前記第１本体と前記第２本体との回動を規制する第１位置と、この第１位置から前記結合部材を介して前記本体に対して水平に回転され前記キーボードの一部を露出する回転位置と、この回転位置から前記結合部材を介して前記第２本体方向にスライドされ前記キーボードを露出するとともに、前記第１本体に対して前記第２本体の回動を許容する第２位置との間で移動可能なディスプレイと、
を具備することを特徴とする電子機器。
【請求項８】
前記第１本体は突出部を有し、前記第２本体は、前記ディスプレイが前記第１位置にあるとき前記突出部が収容される凹部を有することを特徴とする請求項１,２,４,６または７のいずれかに記載の電子機器。
【請求項９】
前記突出部は一対離間して設けられていることを特徴とする請求項８記載の電子機器。
【発明の詳細な説明】
【技術分野】
【０００１】
本発明は、電子機器に関係している。
【背景技術】
【０００２】
ここ数年、特にデータ処理の機能の向上に照らして、ポータブルコンピュータへの需要が高まっている。外部電源またはポータブル電源のいずれかから操作すると、従来型ポータブルコンピュータは、一体化されているキーボードを伴なっている本体ケースに接続および取り付けられている液晶ディスプレイ（ＬＣＤ）を特徴としている。
【０００３】
１タイプの従来型ポータブルコンピュータによれば、ＬＣＤは、垂直方向の回転軸に沿って本体ケースに回転可能に取り付けられている。例えば、このＬＣＤは、特開平１０−５５２２７号公報に記載されている如き円筒形のシャフトによって本体ケースに回転可能に取り付けられている。ここでは、シャフトは、本体ケース内の回路にＬＣＤを電気的に接続するディスプレイケーブル用の導管として働く。結果として、コンピュータは一般的には、ＬＣＤが本体ケースのすぐ上に位置決めされているときはタブレットコンピュータとして、或いは、該ＬＣＤが回転されて本体ケースから位置ずれされているときはラップトップコンピュータとして、動作することができる。
【特許文献１】特開平１０−５５２２７号公報
【発明の開示】
【発明が解決しようとする課題】
【０００４】
この従来型ポータブルコンピュータに関連する１つの欠点は、ＬＣＤが、本体ケースに対して上方向にのみしか向かないことである。ゆえに、ＬＣＤ上に表示されている情報を見るために、使用者は、ＬＣＤを上から見下ろすか、或いは、ＬＣＤが選択された可視角度に配置されるように電子機器全体を傾斜させなければならない。
【０００５】
別のタイプの従来型ポータブルコンピュータによれば、ＬＣＤは機械式のガイド部によって本体ケースに取り付けられている。これらのガイド部は、本体ケースの正反対の側に配置されていて、ＬＣＤの縁と接触する。これらのガイド部に沿って横方向に移動されたとき、ＬＣＤは一般的に本体ケースと平行になる。或いは、ＬＣＤの上側が、ＬＣＤの底側が機械式のガイド部中で移動されるのに伴なって、上昇されてもよい。
【０００６】
この従来型ポータブルコンピュータに関連する１つの欠点は、ＬＣＤを垂直軸に沿って調整することができないことである。従って、本体ケースに対するＬＣＤの方向は、角度を変更することができない。その上、ＬＣＤは、水平軸に沿って回転することができず、複数の可視角度に設置することもできない。
【０００７】
この発明の目的は、複数の位置に変移可能なディスプレイを備えた電子機器を提供することである。
【課題を解決するための手段】
【０００８】
請求項１に係る電子機器は、第１本体と、この第１本体に回動可能に結合される第２本体とを有する本体と、本体の上に設けられており、第1本体に対する第２本体の回動を規制する第１位置と第１本体に対する第２本体の回動を可能にする第２位置とに配置されるディスプレイと、ディスプレイを第１位置と第２位置との間で移動可能に本体とディスプレイとを結合する結合部材と、を備えたことを特徴とする。
【０００９】
請求項２に係る電子機器は、第1本体と、この第1本体に回動可能に結合される第２本体とを有する本体と、結合部材と、結合部材を介して本体に結合され、第1本体および第２本体に重なる第１位置と、第1本体を露出して第1本体に重なるとともに第1本体と第２本体との回動を許容する第２位置との間で移動可能に設けられるディスプレイと、を具備することを特徴とする。
【００１０】
請求項４に係る電子機器は、キーボードを有する第1部分と、この第1部分に回動可能に結合される第２部分とを有する本体と、第２本体に結合される結合部材と、この結合部材を介して本体に結合され、結合部材により、第１本体および第２本体に重なることで第１本体と第２本体との回動を規制する第１位置と、キーボードを露出しタ状態で第２本体に重なることで第１本体に対する第２本体の回動を許容する第２位置との間で移動可能なディスプレイと、を具備することを特徴とする。
【００１１】
請求項６に係る電子機器は、キーボードを有する第1部分と、この第1部分に回動可能に結合されるとともにガイド部を有する第２部分とを有する本体と、ガイド部を介して第２本体にスライドおよび回転可能に結合される結合部材と、この結合部材に結合され、第１本体および第２本体に重なることで第１本体と第２本体との回動を規制する第１位置と、キーボードを露出した状態で第２本体に重なることで第１本体に対する第２本体の回動を許容する第２位置との間で移動可能なディスプレイと、を具備することを特徴とする。
【００１２】
請求項７に係る電子機器は、キーボードを有する第1部分と、この第1部分にヒンジを介して回動可能に結合されるとともにガイド部を有する第２部分とを有する本体と、ガイド部を介して第２本体にスライドおよび回転可能に結合される結合部材と、
この結合部材に結合され、第１本体および第２本体に重なることで第１本体と第２本体との回動を規制する第１位置と、この第１位置から結合部材を介して本体に対して水平に回転されキーボードの一部を露出する回転位置と、この回転位置から結合部材を介して第２本体方向にスライドされキーボードを露出するとともに、第１本体に対して第２本体の回動を許容する第２位置との間で移動可能なディスプレイと、を具備することを特徴とする。
【発明の効果】
【００１３】
本発明によれば、複数の位置に変移可能なディスプレイを備えた電子機器を提供することが出来る。
【発明を実施するための最良の形態】
【００１４】
以下の詳細な説明に記載されている発明の実施の形態は、一般的に、任意に変更されるディスプレイの垂直方向の回転を許容する機構を伴なっている電子機器に関係している。このアセンブリは、本体ケースの上面に設けられているディスプレイの水平方向の回転および変位も許容する。この機構は、以下に記載されているヒンジおよび結合部材を備えている。
【００１５】
以下の説明において、発明の１つまたはそれ以上の実施の形態の各種特徴を記載すべく、一定の専門用語が使用される。例えば、「電子機器」は、回転および変位可能なフラットパネルディスプレイを伴なった電子製品として規定されている。この詳細な説明では、便宜上、電子機器は、自立型のポータブルコンピュータに変化可能な手持ち式タブレットコンピュータとして図示されている。しかし、本発明は、パーソナルデジタルアシスタント、携帯電話、デジタルカメラ、ビデオカメラ、ナビゲーションシステム、及びこれらと同等のものを含むが、これらに限定されたり規制されることがない、他のタイプの電子機器において使用されてもよい。
【００１６】
ここでは、用語「回転する」は、時制が変化した場合も含めて、一般的に、回転軸の回りの角度動作として規定されている。この回転軸は、電子機器の全体の方向に対し相対的に固定してもよい。この詳細な説明のため、回転方向を指摘するのに使用されるとき、用語「垂直方向に回転する」（または、そのあらゆる時制の変化形）は、一般的に水平な回転軸の回りの回転に関係している。同様に、用語「水平方向に回転する」（または、そのあらゆる時制の変化形）は、一般的に垂直な回転軸の周りの回転に関係している。用語「変位させる」または「変位」は、時制が変化した場合も含めて、線形移動として規定されている。
【００１７】
用語「相互接続」は、１つのポイントから別のポイントへ電気信号を転送することができるあらゆる媒体である。相互接続の例は、１つまたはそれ以上の電気ワイヤ、いかなるタイプのケーブル（例えば、フレキシブル印刷ケーブル）、光ファイバー、又はこれらと同等のものを含んでよい。「ディスプレイ相互接続」は、単に、一端がフラットパネルディスプレイなどのディスプレイに結合されている相互接続である。
【００１８】
Ｉ．一般的な技術
図１を参照すると、「タブレット」位置に設置されている電子機器１００の実施の形態の側面図が示されている。ここにおいて、電子機器１００は、第１位置に配置されていて、結合部材（図示せず）を介して本体ケース１２０上に回転可能に設けられているディスプレイ１１０を備えている。ここにおいて、電子機器１００は、第１（ポートレイト）位置に配置されているディスプレイ１１０を伴なっているタブレットコンピュータとして動作する。
【００１９】
より具体的には、ディスプレイ１１０は、フラットパネルディスプレイ１１２と、同フラットパネルディスプレイ１１２上で表示可能な画像を生成する回路の全てまたはその一部も含んでいる。フラットパネルディスプレイ１１２の例は、液晶ディスプレイ（ＬＣＤ）、プラズマディスプレイ、及びこれらと同等な物を含むが、これらに限定されたり規制されたりしない。
【００２０】
この実施の形態に従えば、本体ケース１２０は、ヒンジ１５０によって相互に回転可能に結合されている第１本体１３０及び第２本体１４０を備える。このヒンジ１５０は、例えばブレーキ用ヒンジなどの摩耗ヒンジのいかなるタイプのものとして適合されてよい。これは、第２本体１４０が垂直方向に回転され、そして選択された如何なる回転角度（α、ここでは、０≦α≦９０度）で維持されることを許容する。しかしながら、角度を付けた方向に第２本体１４０を維持する必要の無いときは、ヒンジ１５０はブレーキ用ヒンジを含む必要が無いと考えられる。
【００２１】
第１本体１３０は、ベース１３１と、該ベース１３１から延びている１つまたはそれ以上の突出部１３２と、を備える。ベース１３１は、フラットパネルディスプレイ１１２の縁１１４の曲線部と補完するよう輪郭付けされている隆起領域１３３を伴なうよう構成されている。また、この隆起領域１３３の上面は、ディスプレイ１１０の上面１１６と略面一であってもよい。
【００２２】
ベース１３１は、メモリインターフェース１３４とも適合されている。このメモリインターフェース１３４は、以下の：メモリカード（例えば、ＰＣＭＣＩＡカード）、デジタルバーサタイルディスク（ＤＶＤ）、コンパクトディスク（ＣＤ）、デジタルテープ、またはフロッピーディスクのうちの１つまたはそれ以上の如きポータブルメモリデバイスを受け入れるようなベイまたは通信ポートとして適合されていてもよい。
【００２３】
突出部１３２は、第２本体１４０の凹部１４２の下に延びている。例えば、本発明の一実施の形態に従えば、突出部１３２は、第２本体１４０の縦方向の中心まで略延びている。
【００２４】
第１グロメット対１６０が、ベース１３１の底面１３５上に位置決めされている。さらに、第２グロメット対１６２が、突出部１３２の底面１３６上に位置決めされている。これらのグロメット１６０および１６２は、電子機器１００がテーブル又は他の平らな表面上で使用されたときの電子機器１００の滑りを防止している。
【００２５】
第２本体１４０は、ディスプレイ１１０が以下に示されるように適切に回転および変位された後に、ヒンジ１５０によって規定されている回転軸の回りに回転されてもよい。１対のグロメット１６４は、第２本体１４０の底面１４４上に位置決めされている。任意に、カメラ１７０が第２本体１４０の端部１４６に沿って回転可能に結合されてもよい。この回転結合は、使用者によって手動で設定された方向に向けてカメラ１７０を維持する、摩耗ヒンジによって達成されても良い。
【００２６】
ここで図２を参照すると、電子機器１００の上面図が示されている。ここにおいて、ディスプレイ１１０のフラットパネルディスプレイ１１２は、本体ケース１２０上に積み重ねられた配置に設けられている。電子機器１００は、ポータブルタブレットコンピュータとして動作する。
【００２７】
本発明の実施の形態では、ディスプレイ１１０は、縁１１４に凹状曲線を、縁１１５に凸状曲線を有している細長い形状に構成されている。この位置では、ディスプレイ１１０は、第１本体１３０内に一体化されているキーボード（図示せず）と、おそらく、カーソル制御デバイス２００とを、含んでいる、本体ケース１２０のフットプリント（footprint：投影面）の少なくとも７０％を覆う。
【００２８】
図２中に示されているように、ディスプレイ１１０の縁１１５付近には１つまたはそれ以上のホットキー１１８が一体化されている。「ホットキー」は、起動時に、カーソル制御デバイス２００を介してメニューからの入力を選択する場合よりも迅速にタスクを実行させる凹状領域である。これらのタスクは、製造時に規定およびプログラミングされることが出来るし、或いは、使用者によってプログラミングされたりすることもできる。このホットキー１１８によって制御されるタスクの例は、アプリケーションの起動、ネットワーク接続の確立、パワーダウン処理手順の開始、及びこれらと同等のものを含む。
【００２９】
図３を参照すると、電子機器１００の底面１３５，１３６，１４４の底面図が示されている。第１本体１３０は、ディスプレイ１１０が図４中に示されているように回転又は変位されているときに安定性を提供するよう使用されている突出部１３２を伴ない構成されている。ベース１３１は、電子機器１００が「セルフサポーティング」位置に配置されたときにディスプレイ１００に十分な支持を提供するような寸法になっている。グロメット対１６０および１６２が、第１本体１３０の正反対の側に位置決めされていて、使用中の滑りを低減するよう適切に離間されている。
【００３０】
今度は図４を参照すると、「セルフサポーティング」位置に配置されている電子機器１００の斜視図が示されている。ここにおいては、第２本体１４０は回転角度（α）で垂直方向に回転されている。このような回転は、ディスプレイ１１０がカメラ１７０に向かい水平方向に回転および変位され以下に詳細に記載される如き第２位置に配置された後に、行われる。ゆえに、カーソル制御デバイス２００及びキーボード２１０は、使用者により十分にアクセス可能である。
【００３１】
第２本体１４０は、第１本体１３０の突出部１３２を収容するように寸法決めされている凹部１４２を備える。その結果、本体１３０および１４０の集合した底面は、電子機器１００が図１中に示されているように「タブレット」位置に配置されたときに、実質的に平坦になる。
【００３２】
今度は図５の（Ａ）および（Ｂ）を参照すると、結合部材３００の実施の形態の分解図が示されている。もちろん、結合部材３００は、図示されているもの以外にも、様々な物理的な構成で製造してもよい。その構成にかかわらず、結合部材３００は、ディスプレイ１１０を本体ケース１２０の上方で回転および変位可能にするよう構成されている。
【００３３】
図５の（Ａ）および（Ｂ）中に図示されている実施の形態の各々について、結合部材３００は、留め具要素３２０と固定要素３３０とを相互接続しているシャフト３１０を備える。シャフト３１０と要素３２０および３３０の両者は、硬質プラスチック、金属、またはこれたと同等のもののような剛い組成物で形成されることが出来る。留め具要素３２０及び固定要素３３０の形状は、設計上の選択である。
【００３４】
本発明の一実施の形態に従えば、図５の（Ａ）中に示されている如く、シャフト３１０及び固定要素３３０は、同一要素として共に形成されている。シャフト３１０は、留め具要素３２０に結合されるよう適合されている第１端部３１２を備えている。例えば、第１端部３１２は、留め具要素３２０の空洞３２２内に挿入するように寸法決めされているとともに構成され、その後、固定要素３２０によって保持されるようにしてもよい。
【００３５】
一例として、第１端部３１２は、留め具要素３２０上に配置されている補完用の雌型空洞３２２と嵌合するよう適合されている「スナップイン」挿入部であってもよい。或いは、もう１つの例としては、第１端部３１２は、ねじ、溶接、接着，またはこれらと同等のもののような他の従来の結合技術によって留め具要素３２０に結合されてもよい。
【００３６】
本発明のもう１つの実施の形態に従えば、図５の（Ｂ）中に示されているように、シャフト３１０及び留め具要素３２０は単一要素として共に形成されてもよい。シャフト３１０は、何等かの結合技術を使用することによって固定要素３３０に結合されている第２端部３１４を備えている。もちろん、このシャフト３１０と要素３２０および３３０とは、単一に成形されている要素として構成されていてもよいと考えられる。
【００３７】
ここでは、図５の（Ａ）及び（Ｂ）の両方中に更に示されている如く、留め具要素３２０は、ディスプレイ１１０の底面３５０の中心に略形成されているソケット３４０内への挿入用に適合されている。このソケット３４０は、その中に挿入される留め具要素３２０を確実に維持するよう形成されている（図５の（Ａ））。他には、さらなる留め具（例えば、ねじ、リベットなど）を使用してもよい（図５の（Ｂ））。従って、ディスプレイ１１０は、結合部材３００の回転および変位に対応して回転および変位される。
【００３８】
もちろん、留め具要素３２０は、ディスプレイ１１０内に一体化されたり、ディスプレイ１１０の一部として予め形成されたりしてもよいと考えられる。これらの実施の形態については、結合部材３００は、留め具要素３２０（またはディスプレイ１１０）および固定要素３３０に対し適合されているシャフト３１０を備える。
【００３９】
図６を参照すると、「タブレット」位置に配置されている電子機器１００の実施の形態の上面図が示されている。ここにおいて、本体ケース１２０は、相互接続領域４４０を形成している第１開口部４００及び第２開口部４２０を備える。これら開口部４００および４２０は第２本体１４０内に配置されていて、その結果、第２開口部４２０の実質的な部分は、本体ケース１２０の長手方向の中心に概ね位置決めされている。
【００４０】
本発明のこの実施の形態では、第１開口部４００は、フラットパネルディスプレイを本体ケース１２０内に収容されている回路構成要素（例えば、デジタル−アナログ変換器、プロセッサ、チップセット、メモリなど）に電気的に結合するよう使用されているディスプレイ相互接続部４３０用の導管として適合されている。第１開口部４００は、複数の外周縁４０２〜４０６を含み、これらはまとまって３つの相互接続部保持領域４１０、４１２、および４１４を形成している。細長開口（channel）４１６は、保持領域４１２と４１４との間に形成されている。
【００４１】
ここに記載されているように、ディスプレイ相互接続部４３０は、電子機器が「タブレット」位置に配置されているときは保持領域４１０内に存在する。ディスプレイ相互接続部４３０は、ディスプレイ１１０がそのポートレート方向から回転および変位されたときに保持領域４１２及び４１４中に存在する。
【００４２】
本発明のこの実施の形態では、保持領域４１０及び４１２間のディスプレイ相互接続部４３０の円滑な変位を提供するよう、弧の如く形作られている凸状曲線で構成されている。この弧の半径は、本体ケース１３０の中心とディスプレイ相互接続部４３０との間の距離と等しくてもよいと考えられる。しかしながら、別の実施の形態では、弧の半径は異なって寸法付けされていてもよい。
【００４３】
ここでは、第２外周縁４０３は、第１外周縁４０２の鏡像である弧形状の曲線で構成されている。しかしながら、第２外周縁４０３は、点線で示されている如き略直線状の外周縁４０７及び４０８に対する置き換え用としてもよいと考えられる。
【００４４】
その他の外周縁４０４〜４０６は、一般的に、細長開口（channel）４１６を形成するが、細長開口（channel）上では、以下に記載されている如く第２保持領域４１２と第３保持領域４１４との間でディスプレイ相互接続部４３０を移動させることができる。
【００４５】
依然として図６を参照すると、第２開口部４２０は、結合部材３００のシャフト３１０の回転角度および変位を制限するよう形作られている。本発明の実施の形態では、第２開口部４２０は、線状の細長開口（channel）部分４２２、及び細長開口（channel）部分４２２の一端に隣接して位置決めされている拡張部分４２４により、鍵穴形状にされている。本発明の一実施の形態では、拡張部分４２４は本体ケース１２０の中心に位置決めされている。
【００４６】
外周縁４２６、４２７および外周縁４２８の一部により規定されていて、拡張部分４２４は細長開口（channel）部分４２２より幅広になっている。これは、シャフト３１０が回転されたときにディスプレイ１１０の回転を許容する。
【００４７】
本発明のこの実施の形態では、シャフト３１０は、細長開口（channel）部分４２２の幅を超える長さ（Ｌ）と、細長開口（channel）部分４２２の幅より僅かに狭い幅（Ｗ）と、を有している長方形の断面領域を有する。シャフト３１０の位置決めおよび形状は、該シャフトに取り付けられているディスプレイ１１０の回転および変位を規制するよう選択されている。例えば、シャフト３１０が示されている如き「横」方向に配置されているとき、結合部材３００の変位は、変位経路に対し垂直なシャフト３１０の第１側部３１６が細長開口（channel）部分４２２の幅を超えているために、阻止されている。
【００４８】
図６中に更に示されているように、外周縁４２６の形状とともにシャフト３１０の断面形状により、約９０度（９０°）までのシャフト３１０の反時計回り（ＣＣＷ）の回転を可能にしている。（許容誤差の幾分かの角度を除き）９０度を越えるいかなる回転も、シャフト３１０の第１側部３１６が外周縁４２８と接触するようになるので阻止される。同様に、シャフト３１０の断面形状が、電子機器１００が「タブレット」位置に配置されたときのディスプレイ１１０の時計回り（ＣＷ）の回転を阻止する。通常、シャフト３１０の第２側部３１８は、この回転の開始にともない（例えば、時計回り（ＣＷ）回転の１０度の完了前に）外周縁４２７に接触するようになる。
【００４９】
今度は図７を参照すると、本体ケース１２０内の相互接続領域４４０の多重層の実施の形態が示されている。相互接続領域４４０は、第２本体１４０内に構成されているガイド部４５０を特徴としている。ガイド部４５０は、結合部材３００のシャフト３１０の長さよりも小さな深さを有している。その結果、シャフト３１０は、本体ケース１２０の第２開口部４２０から突出する。ガイド部４５０は、本体ケース１２０内に固定要素３３０を保持するだけでなく、結合部材３００の単一の位置および変位において結合部材３００の回転を許容するように構成されている。
【００５０】
例えば、一実施の形態によれば、ガイド部４５０は、同じ幅の細長開口（channel）部分を備えていて、その結果として開口部４２０の寸法は結合部材３００の水平方向の回転を禁止している。しかしながら、本発明のもう１つの実施の形態に従えば、シャフト３１０の断面は、ディスプレイが第１の位置に配置されているときに細長開口（channel）部分の幅よりも幅広となっていてもよい。その上、シャフト３１０の断面は、ディスプレイが第２の位置に配置されているときに細長開口（channel）部分の幅よりも狭くなっていてもよい。ガイド部４５０の第１端部は、シャフト３１０の断面がガイド部４５０の第１端部の直径よりも狭くなっていることにより、結合要素３００、特にシャフト３１０および固定要素３３０、の制限された回転を可能にすることができる。
【００５１】
今度は図８を参照すると、断面線Ａ−Ａに沿った図６の電子機器１００の断面図が示されている。ここにおいて、結合部材３００の留め具要素３２０は、ソケット３４０内に挿入されているとともにディスプレイ１１０に結合されている。従って、結合部材３００のいかなる回転または変位も、ディスプレイ１１０の対応している回転または変位を生じさせる。
【００５２】
示されているように、第２開口部４２０は、結合部材３００の回転および変位を可能にするよう構成されているガイド部４５０用の開口部を構成している。本発明の一実施の形態に従えば、ガイド部４５０は、該ガイド部４５０の第１端部５１０に配置されている第１保持要素５００を備えている。第１保持要素５００は、凹状部５２０を提供する。
【００５３】
電子機器１００が「タブレット」位置に配置されたとき、固定要素３００は凹状部５２０内に部分的に挿入されている。凹状部５２０は、第１保持要素５００が固定要素３３０に対し下向きの力を負荷するよう寸法決めされている。その結果、結合部材３００は、ディスプレイ１１０の回転中でも、この位置に保持されている。ディスプレイ１００を変位させるよう横方向の力が負荷されたときのみ、固定要素３３０が凹状部５２０から係合解除される。
【００５４】
示されている如く、ガイド部４５０は、該ガイド部４５０の第２端部５４０に配置されている第２保持要素５３０を更に備えている。第２保持要素５３０は、第１保持要素５００と略構成が同じであり、結合部材３００の固定要素３３０を受け入れるように寸法決めされている凹状部５５０を提供する。
【００５５】
図９中に示されているように、断面線Ｂ−Ｂに沿った、図８の第２本体１４０内に位置決めされているガイド部４５０の断面図が示されている。二つのフランジ５６０および５７０が、ガイド部４５０の側壁５８０に取り付けられてもよい。これらのフランジ５６０および５７０は、互いに向かい内側に延びていて、その結果、フランジ５６０とフランジ５７０との間の距離（ｄ１）はシャフト３１０のいずれの側部、最も注目すべきはシャフト３１０の断面における長さ、よりも幅広となっている。ガイド部４５０の側壁５８０間の距離（ｄ２）は、固定部３３０の回転を許容し、しかし固定部材３００の望ましくない横方向の動き（例えば、揺動）を阻止している。
【００５６】
ＩＩ．動作の様態
図１０〜図１５は、タブレットＰＣとしての使用からポータブルコンピュータへと変形される電子機器１００の実施の形態を図示している。これは、以下に記載される如き、ディスプレイ１１０の回転および変位を通じて達成される。
【００５７】
今度は図１０を参照すると、「タブレット」位置に配置されている電子機器１００の実施の形態が示されている。ここにおいて、ディスプレイ１１０は結合部材を介して本体ケース１２０上に設けられていて、第１本体１３０の隆起領域１３３と第２本体１４０の端部１４６に沿った領域とを除いた本体ケース１２０の全フットプリント（footprint：投影面）をほぼ覆う。ディスプレイ１１０は、第１本体１３０のフットプリント（footprint：投影面）の２分の１と第２本体１４０のフットプリント（footprint：投影面）の２分の１とを少なくとも覆う。示されているように、これらのフットプリント（footprint：投影面）の各々の７０パーセント以上が覆われている。しかしながら、もちろんディスプレイ１００は、これらの領域１３３および１４６のいずれかを覆うよう構成されていてもよいと考えられる。
【００５８】
図１１中に示されているように、ディスプレイ１１０は、水平方向に回転されている。ここにおいて、第１本体１３０内に一体化されているキーボード２１０は、部分的に露出されている。また、第２本体１４０のより多くの表面領域が露出される一方で、第１開口部４００および第２開口部４２０は、ディスプレイ１１０によって依然として覆われている。
【００５９】
今度は図１２を参照すると、「中間」位置に配置されている電子機器１００の実施の形態の上面図が示されている。ここにおいて、ディスプレイ１１０は、電子機器１００が「タブレット」位置に配置されたときの方向に実質的に直交している。示されているように、ディスプレイ１１０は第３位置（回転位置）に配置されているとともに本体ケース１２０上で実質的に中央に寄せられていて、引き続きヒンジ１５０を覆い、第２本体１４０の垂直方向の回転を阻止している。しかしながら、キーボード２１０の一部は目に見える。
【００６０】
反時計回り方向への約９０度のディスプレイ１１０の回転の後、ディスプレイ相互接続部４３０は、第１保持領域４１０から第２保持領域４１２へと第１開口部４００の第１外周縁４０２に沿い移動される。
【００６１】
さらに、結合部材は、反時計回りに９０度回転したにも拘らず、依然として第２開口部４２０の拡張部分４２４内にある。特に、シャフト３１０がそれに従い回転され、そしてその為に、線形状の細長開口（channel）部分４２２に対し垂直なシャフト３１０の側部のいずれもが細長開口（channel）部分４２２の幅を超えない「横」方向に今度は配置される。
【００６２】
図１３を参照すると、断面線Ａ−Ａに沿った、図１２の電子機器の断面図が示されている。ここにおいて、固定要素３３０は回転されていて、しかし第１保持要素５００により形成されている凹状部５２０内に依然として保持されている。
【００６３】
図１４を参照すると、「セルフサポーティング」位置へと配置されている電子機器１００の実施の形態が示されている。一般的に、ディスプレイ１１０は、第２開口部４２０の細長開口（channel）部分４２２に沿う結合部材の移動により調整されている。その結果、ディスプレイ１１０は、ヒンジ１５０を開放し、カーソル制御デバイス２００及びキーボード２１０を含んでいる第１本体１３０全体を露出するように位置決めされている。これは、ディスプレイ１１０に沿って、第２本体１４０が、ヒンジ１５０に従い垂直方向に回転することを可能にする。このような回転の間に、第１本体１３０の突出部１３２は、ディスプレイ１１０のバランス取りおよび角度を付けた位置決めを行う脚部として動作する。また、これらは第２本体１４０が不適切に反転するのを防いでいる。
【００６４】
今度は図１５を参照すると、断面線Ａ−Ａに沿った、図１４の電子機器１００の断面図が示されている。ここにおいて、結合部材３００の固定要素３３０は、凹状部５２０から係合解除される。結合部材３００は、ガイド部４５０の第１端部５１０から第２端部５４０へと移動される。その後、固定要素３３０は第２保持要素５３０によって形成されている第２凹状部５５０内に挿入される。
【００６５】
以上、本発明の実施の形態を説明すると共に添付の図面に示したが、このような実施の形態は本発明の各種実施の形態の広義の態様を単に図示したものに過ぎず、これらに限定されないものと理解される。また、これら実施の形態は、他の各種改良が可能なため、図示および記載された特定の構成および配置に限定されない。
【図面の簡単な説明】
【００６６】
【図１】「タブレット」位置に配置されている電子機器の一実施の形態の側面図である。
【図２】図１の電子機器の上面図である。
【図３】図１の電子機器の底面図である。
【図４】「セルフサポーティング」位置に配置されている図１の電子機器の斜視図である。
【図５】（Ａ）は、電子機器のディスプレイと本体ケースとの間に介在されるよう適合されている連結部材の実施の形態の分解図であり；  （Ｂ）は、電子機器のディスプレイと本体ケースとの間に介在されるよう適合されている連結部材のもう１つの実施の形態の分解図である。
【図６】「タブレット」位置に配置されている電子機器の実施の形態の上面図である。
【図７】電子機器の本体ケース内にある相互接続領域の多重層の実施の形態の拡大図である。
【図８】断面線Ａ−Ａに沿った図６の電子機器の断面図である。
【図９】断面線Ｂ−Ｂに沿った図８の第２本体内に位置決めされているガイド部の断面図である。
【図１０】「セルフサポーティング」位置へと配置する操作を図示するために、「タブレット」位置に配置されている電子機器の実施の形態を示す上面図である。
【図１１】「セルフサポーティング」位置へと配置する操作を図示するために、回転されている電子機器の実施の形態を示す上面図である。
【図１２】「セルフサポーティング」位置へと配置する操作を図示するために、「中間」位置に配置されている電子機器の実施の形態を示す上面図である。
【図１３】断面線Ａ−Ａに沿った図１２の電子機器の断面図である。
【図１４】電子機器上で実施される操作を図示するために、「セルフサポーティング」位置に配置されている電子機器の実施の形態を示す上面図である。
【図１５】断面線Ａ−Ａに沿った図１４の電子機器の断面図である。
【符号の説明】
【００６７】
１００…電子機器、１１０…ディスプレイ、１１２…フラットパネルディスプレイ、１１４，１１５…縁、１１６…上面、１１８…ホットキー、１２０…本体ケース、１３０…第１本体、１３１…ベース、１３２…突出部、１３３…隆起領域、１３４…メモリインターフェース、１３５，１３６…底面、１４０…第２本体、１４２…凹部、１４４…底面、１４６…端部、１５０…ヒンジ、１６０…第１グロメット対、１６２…第２グロメット対、１６４…１対のグロメット、１７０…カメラ、２００…カーソル制御デバイス、２１０…キーボード、３００…結合部材、３１０…シャフト、３２０…留め具要素、３３０…固定要素、３４０…ソケット、３５０…底面、４００…第１開口部、４０２，４０３，４０４，４０５，４０７，４０８…外周縁、４２０…第２開口部、４３０…ディスプレイ相互接続部、４４０…相互接続領域、４５０…ガイド部、５００…第１保持要素、５１０…第１端部、５２０…凹状部、５３０…第２保持要素、５４０…第２端部、５５０…凹状部、５６０，５７０…フランジ、５８０…側壁
【図１】
2005149467.tif 000003
【図２】
2005149467.tif 000004
【図３】
2005149467.tif 000005
【図４】
2005149467.tif 000006
【図５】
2005149467.tif 000007
【図６】
2005149467.tif 000008
【図７】
2005149467.tif 000009
【図８】
2005149467.tif 000010
【図９】
2005149467.tif 000011
【図１０】
2005149467.tif 000012
【図１１】
2005149467.tif 000013
【図１２】
2005149467.tif 000014
【図１３】
2005149467.tif 000015
【図１４】
2005149467.tif 000016
【図１５】
2005149467.tif 000017